(57)【特許請求の範囲】
【請求項１】
間仕切壁を取り付けるランナー本体の長手方向に芯墨目視用開口が形成され、前記ランナー本体の芯墨目視用開口の裏面に、芯墨合わせマークを付した透明フィルムが被着されていることを特徴とする間仕切壁の固定ランナー。
【請求項２】
長手方向に対向する角部を有する多角形の芯墨目視用開口を形成して成る請求項１記載の間仕切壁の固定ランナー。
【請求項３】
請求項１または２に記載の間仕切壁の固定ランナーを、間仕切壁取付面に墨出しした芯墨を芯墨目視用開口を通して目視により位置合わせして間仕切壁取付面に取り付けて成ることを特徴とする間仕切壁の固定ランナー取付構造。
【発明の詳細な説明】
【０００１】
【発明の属する技術分野】
この出願の発明は、間仕切壁の固定ランナーおよびその取付構造に関するものである。さらに詳しくは、この出願の発明は、住戸内において、間仕切壁を取り付ける固定ランナーを間仕切壁取付面に取り付け施工するに際して、間仕切取付面に墨出しした芯墨のみを目印にして迅速、正確に取り付け施工することができる間仕切壁の固定ランナーおよびその取付構造に関するものである。
【０００２】
【従来の技術】
従来、集合住宅等の建設現場で住戸内において、間仕切壁を取り付ける固定ランナーを間仕切壁取付面に取り付け施工する場合には、設計図面に基いて所定の位置に取り付け施工するのが一般的である。他方、設計図面において、固定ランナーの取付位置は間仕切壁の壁芯から壁芯までの位置で表示されている。
【０００３】
従って、間仕切壁を取り付ける固定ランナーを間仕切壁取付面に取り付け施工するに際しては、例えば、図６に例示したように、住戸内の床面（１１）、壁面（１２）、天井面（１３）等の間仕切壁取付面（１）に、間仕切壁の壁芯位置を示す芯墨（２）を墨出しすると共に間仕切壁の固定ランナー（３）の側面位置を示す寄り墨（４）を墨出しし、この芯墨（２）および寄り墨（４）を目印にして固定ランナー（３）を取り付け施工している。
【０００４】
【発明が解決しようとする課題】
しかしながら、上記従来のように固定ランナー（３）を間仕切壁取付面（１）に取り付け施工する場合には、固定ランナー（３）によって芯墨（２）が隠ぺいされてしまうため、芯墨（２）だけでは固定ランナー（３）を正確に取り付け施工することができないという問題があり、かかる問題を解決するために、上記のように芯墨（２）と共に寄り墨（４）を墨出しし、この芯墨（２）および寄り墨（４）を目印にして固定ランナー（３）を所定の位置に正確に取り付け施工している。
【０００５】
しかしながら、上記従来のように芯墨（２）と共に寄り墨（４）を墨出しした場合には、墨出し作業の手間、時間等が通常の墨出し作業の２〜３倍かかり、又、両者の墨位置を錯覚して読み違えることがあるという問題があり、正確性という点でも満足すべきものであるとはいい難かった。この出願の発明は、以上の通りの事情に鑑みてなされたものであり、上記問題点を解消し、住戸内において、間仕切壁を取り付ける固定ランナーを間仕切壁取付面に取り付け施工するに際して、間仕切取付面に寄り墨を墨出しすることなく芯墨のみを墨出しし、芯墨のみを目印にして迅速、正確に取り付け施工することができる間仕切壁の固定ランナーおよびその取付構造を提供することを目的としている。
【０００６】
【課題を解決するための手段】
この出願の発明は、上記の課題を解決するためになされたものであって、第１の発明は、間仕切壁を取り付けるランナー本体の長手方向に芯墨目視用開口が形成され、前記ランナー本体の芯墨目視用開口の裏面に、芯墨合わせマークを付した透明フィルムが被着されていることを特徴とする間仕切壁の固定ランナーを提供する。また、第２の発明は、長手方向に対向する角部を有する多角形の芯墨目視用開口を形成して成る前記の間仕切壁の固定ランナーを、第３の発明は、前記いずれかの間仕切壁の固定ランナーを、間仕切壁取付面に墨出しした芯墨を芯墨目視用開口を通して目視しつつ位置合わせして間仕切壁取付面に取り付けて成ることを特徴とする間仕切壁の固定ランナー取付構造を提供する。
【０００７】
【発明の実施の形態】
この出願の発明は、上記の通りの特徴をもつものであるが、以下、その実施の形態について説明する。図１、図２および図３は、この出願の第１の発明の一実施形態を例示し、図１は間仕切壁の固定ランナー取付状態を示す略斜視図、図２は同固定ランナー取付状態を示す要部拡大平面図、図３（イ）は固定ランナーの拡大縦断面図、（ロ）は透明フィルムの平面図である。
【０００８】
この出願の第１の発明は、例えば、図１および図２に例示したように、間仕切壁を取り付ける凹溝形のランナー本体（５）の長手方向に間隔を隔てて複数の円形の芯墨目視用開口（６）を形成して成ることを特徴とする間仕切壁の固定ランナー（７）に関するものである。
【０００９】
そして、この出願の第１の発明は、例えば、図３（イ）、（ロ）に例示したように、図１、図２に例示したランナー本体（５）の芯墨目視用開口（６）の裏面に、芯墨（２）と重ね合わせて位置合わせを行う芯墨合わせマーク（９）を、印刷、成形等により付した透明な合成樹脂フィルム等よりなる透明フィルム（１０）を接着、融着等により被着されていることを特徴とするものである。
【００１０】
なお、この出願の第１の発明において、ランナー本体（５）の芯墨目視用開口（６）の裏面に透明フィルム（１０）を被着する場合には、例えば、ランナー本体（５）の芯墨目視用開口（６）の裏面部分のみを覆うように透明フィルム（１０）を被着しても良いし、ランナー本体（５）の芯墨目視用開口（６）を含む裏面全面に透明フィルム（１０）を被着しても良い。
【００１１】
以上の通り、この出願の第１の発明の固定ランナー（７）においては、間仕切壁を取り付けるランナー本体（５）の長手方向に芯墨目視用開口（６）を形成され、ランナー本体（５）の芯墨目視用開口（６）の裏面に、芯墨合わせマーク（９）を付した透明フィルム（１０）を被着して成るので、固定ランナー（７）を間仕切壁取付面に取り付け施工するに際して、図１および図２に例示したように、住戸内の床面（１１）、壁面（１２）、天井面（１３）等の間仕切壁取付面（１）に、従来のような固定ランナーの側面位置を示す寄り墨を墨出しすることなく、間仕切壁の壁芯位置を示す芯墨（２）のみを墨出しし、この芯墨（２）を芯墨目視用開口（６）を通して目視、確認することにより芯墨（２）のみを目印にして固定ランナー（７）を迅速、正確に取り付け施工することができると共に、透明フィルム（１０）を介して芯墨合わせマーク（９）を芯墨（２）と重ね合わせて位置合わせを行うことができ、固定ランナー（７）を迅速、正確に取り付け施工することができる。
【００１２】
図４および図５は、この出願の第２の発明の異った実施形態を例示し、間仕切壁の異った固定ランナー取付状態を示す要部拡大平面図である。この出願の第２の発明は、例えば、上記図１と同様にして、間仕切壁を取り付けるランナー本体（５）の長手方向に芯墨目視用開口（６）を形成するに際して、図４に例示したような菱形の芯墨目視用開口（６）や、図５に例示したような六角形の芯墨目視用開口（６）等の、所謂、ランナー本体（５）の長手方向に対向する角部（８）を有する多角形の芯墨目視用開口（６）を形成して成ることを特徴とする間仕切壁の固定ランナー（７）に関するものである。
【００１３】
以上の通り、この出願の第２の発明の固定ランナー（７）においては、長手方向に対向する角部（８）を有する多角形の芯墨目視用開口（６）を形成して成るので、上記第１の発明と同様、芯墨（２）を芯墨目視用開口（６）を通して目視、確認することにより芯墨（２）のみを目印にして固定ランナー（７）を迅速、正確に取り付け施工することができると共に、図４および図５に例示したように、長手方向に対向する角部（８）により芯墨（２）の位置合わせを行うことができ、固定ランナー（７）をさらに迅速、正確に取り付け施工することができる。
【００１４】
この出願の第３の発明は、例えば、図１〜図５に例示したように、間仕切壁の固定ランナー（７）を、住戸内の床面（１１）、壁面（１２）、天井面（１３）等の間仕切壁取付面（１）に墨出しした芯墨（２）を芯墨目視用開口（６）を通して目視して確認することにより位置合わせして間仕切壁取付面（１）に取り付けて成ることを特徴とする間仕切壁の固定ランナー（７）取付構造に関するものである。
【００１５】
以上の通り、この出願の第３の発明の固定ランナー（７）取付構造においては、固定ランナー（７）を、間仕切壁取付面（１）に墨出しした芯墨（２）を芯墨目視用開口（６）を通して目視することにより位置合わせして間仕切壁取付面（１）に取り付けて成るので、上記第１、２の発明と同様、芯墨（２）を芯墨目視用開口（６）を通して目視、確認することにより固定ランナー（７）が所定の位置に正確に取り付けられた固定ランナー（７）の取付構造を得ることができる。
【００１６】
なお、この出願の発明においては、ランナー本体として、例えば、図１〜図５に例示したように凹溝形のランナー本体（５）を例示し、間仕切パネル等よりなる間仕切壁の端縁部をランナー本体（５）の凹溝内に嵌挿して取り付けるような実施例を例示したが、角棒形のランナー本体を使用すると共に間仕切壁の端縁部を凹溝形に形成し、角棒形のランナー本体に間仕切壁の端縁部を嵌合させて取り付けるようにしても良く、必要に応じて、所望の形状のランナー本体を使用すれば良い。
【００１７】
また、ランナー本体に形成する芯墨目視用開口の形状は、例えば、図１および図２に例示した円形や、図４および図５に例示した多角形の他、必要に応じて、所望の形状に形成すれば良い。また、ランナー本体の長手方向に芯墨目視用開口を形成する場合には、必要に応じて、任意の間隔を隔てて所望個数の芯墨目視用開口を形成すれば良い。
【００１８】
また、固定ランナーを間仕切壁取付面に取り付ける場合には、例えば、必要に応じて、図１に例示したように、固定ランナー（７）を間仕切壁取付面（１）を構成する床面（１１）に取り付けたり、または／および壁面（１２）に取り付けたり、天井面（１３）に取り付けたりすれば良く、所謂、所望の間仕切壁取付面（１）に固定ランナー（７）を取り付ければ良い。
【００１９】
この出願の発明は、以上の実施形態に限定されるものではなく、詳細な形状、構造等については、適宜選択、決定すれば良い。
【００２０】
【発明の効果】
以上詳しく説明した通り、この出願の発明によって、住戸内において、間仕切壁を取り付ける固定ランナーを間仕切壁取付面に取り付け施工するに際して、芯墨のみを目印にして固定ランナーを迅速、正確に取り付け施工することができる。
【図面の簡単な説明】
【図１】この出願の第１の発明の一実施形態を例示した略斜視図である。
【図２】この出願の第１の発明の一実施形態を例示した要部拡大平面図である。
【図３】この出願の第１の発明の一実施形態を例示し、（イ）は固定ランナーの拡大縦断面図、（ロ）は透明フィルムの平面図である。
【図４】この出願の第２の発明の一実施形態を例示した要部拡大平面図である。
【図５】この出願の第２の発明の異った実施形態を例示した要部拡大平面図である。
【図６】従来例を例示した略斜視図である。
【符号の説明】
１    間仕切壁取付面
１１    床面
１２    壁面
１３    天井面
２    芯墨
３    固定ランナー
４    寄り墨
５    ランナー本体
６    芯墨目視用開口
７    固定ランナー
８    角部
９    芯墨合わせマーク
１０    透明フィルム
【図１】
0004172118.tif 000002
【図２】
0004172118.tif 000003
【図３】
0004172118.tif 000004
【図４】
0004172118.tif 000005
【図５】
0004172118.tif 000006
【図６】
0004172118.tif 000007